(57)【要約】【課題】  ローミングにより通知される移動端末装置の発信者番号が異なっても構内交換装置の機能を利用することができる構内交換装置を提供することを目的とする。【解決手段】  構内交換装置１０は、国内公衆網ＮＷ１を介して海外移動通信網ＮＷ３と通信するとともに、複数の内線電話機２０が接続される。構内交換装置１０には、国内公衆網ＮＷ１と接続する国内移動通信網ＮＷ２を介して通信する移動端末装置３０と内線電話機２０とを関連付けて記憶する内線テーブル１３ａと、移動端末装置３０が海外移動通信網ＮＷ３から発信した場合に通知される通知番号と移動端末装置３０が国内移動通信網ＮＷ１から発信した場合に通知される通知番号とを関連付けて記憶する番号変換テーブル１３ｂと、ＦＭＣアクセス番号への着信があった場合に、内線テーブル１３ａおよび番号変換テーブル１３ｂを参照して、ＦＭＣ機能の提供を許可するか否かを判断する。【選択図】  図７
2011055150.tif 000002
【特許請求の範囲】
【請求項１】
国内公衆網を介して海外移動通信網と通信するとともに、複数の内線電話機が接続され、前記内線電話機に係る通信を接続する構内交換装置であって、
前記国内公衆網と接続する国内移動通信網を介して通信する移動端末装置と、前記内線電話機とを関連付けて記憶する内線テーブルと、
前記移動端末装置が前記海外移動通信網から発信した場合に通知される通知番号と、前記移動端末装置が前記国内移動通信網から発信した場合に通知される通知番号と、を関連付けて記憶する番号変換テーブルと、
前記構内交換装置の機能であるＦＭＣ処理に係る番号であるＦＭＣアクセス番号への着信があった場合に、前記内線テーブルおよび前記番号変換テーブルを参照して、前記ＦＭＣ処理を許可するか否かを判断するＦＭＣ機能許可処理手段と
を有することを特徴とする構内交換装置。
【請求項２】
前記内線テーブルは、前記移動端末装置の電話番号と前記内線電話機の内線番号とを１対１の関係で関連付けて記憶することを特徴とする請求項１に記載の構内交換装置。
【請求項３】
前記ＦＭＣ処理手段は、
前記ＦＭＣアクセス番号への着信があった場合に、通知された通知番号が前記番号変換テーブルに記憶されているか否かを判断し、
前記番号変換テーブルに記憶されている場合は、前記通知番号に関連付けられた電話番号に変換するとともに、変換された前記電話番号が前記内線テーブルに記憶されているか否かを判断し、
前記内線テーブルに記憶されている場合は、発信元からの指示に応じたＦＭＣ処理を行うことを特徴とする請求項１または請求項２に記載の構内交換装置。 
【発明の詳細な説明】
【技術分野】
【０００１】
本発明は、例えば、構内交換システム内で使用される電話機と移動通信システムで使用される移動端末装置とを連携させる、構内交換システムのIP交換装置に関する。
【背景技術】
【０００２】
近年、携帯電話やＰＨＳ（Personal Handy-phone System）等の移動端末装置が普及し、１人が１台の移動端末装置を所持するようになった。これに伴い、固定電話機と移動端末装置とを別々のシステムとして使用するだけでなく、固定電話機と移動端末装置とが融合したＦＭＣ（Fixed Mobile Convergence）サービスが注目されている。このＦＭＣサービスは、例えば、企業の構内交換システム内では、移動端末装置を内線電話機として使用し、外出時は内線電話機の電話番号を用いて移動端末装置で発着信する等、ＦＭＣサービスを利用する移動端末装置が構内交換システムの外に位置していても、構内交換システム内と同様の電話番号で同様のサービスを利用できるというものである。
【０００３】
このようなＦＭＣサービスを提供するには、異種網間の連携が必要である。異種網間の連携とは、上記の例では、構内交換システムと接続される公衆網と、移動通信網との連携を指す。それらの連携のための通信インフラが構築された現在では、企業の構内交換システム内に設けられる構内交換装置に、移動端末装置の電話番号と内線電話機の電話番号とを関連付けして登録しておくことにより、構内交換システムの外でも構内交換システム内と同様のサービスを利用することができる。例えば、構内交換システムの外から発信した場合でも、構内交換システム内から発信したように発信者番号を通知する機能があるが、そのような構内交換装置の機能を利用する場合、移動端末装置は、構内交換装置の機能（以下ＦＭＣ機能と称する。）を利用するための番号（以下、ＦＭＣアクセス番号と称する。）へ構内交換システムの外から発信する。構内交換装置は移動端末装置から通知される発信者番号に基づいて、構内交換システム内から発信したように発信者番号を通知するよう処理を行う。すなわち、構内交換装置は、移動端末装置の発信者番号を判断している。
【０００４】
なお、ＦＭＣサービスに関連する技術として、例えば、特許文献１が知られている。
【先行技術文献】
【特許文献】
【０００５】
【特許文献１】特開２００９−２７７１０号公報
【発明の概要】
【発明が解決しようとする課題】
【０００６】
ところで、国内で使用する移動端末装置を海外で使用できる国際ローミングサービスが提供されているが、その移動端末装置が海外から発信した場合、発信先へ通知される発信者番号は、国内で使用する電話番号に国番号が付加されたり、国内で使用する電話番号の先頭の「０」が削除されたり、国内で使用する電話番号とは異なる。しかも、その移動端末装置のサービスを提供する通信事業者やローミング状況によって、発信先へ通知される発信者番号が異なる。ＦＭＣサービスを利用する場合には、上記のように、構内交換装置が通知された発信者番号と登録された電話番号とを照合するため、海外から発信された移動端末装置の発信者番号は構内交換装置に登録された電話番号と異なることから、その移動端末装置が海外から発信した場合には、ＦＭＣサービスを利用することができないという問題がある。
【０００７】
そこで、本発明は、ローミングにより通知される移動端末装置の発信者番号が異なっても構内交換装置の機能を利用することができる構内交換装置を提供することを目的とする。
【課題を解決するための手段】
【０００８】
上記目的を達成するために、本発明による構内交換装置は、国内公衆網を介して海外移動通信網と通信するとともに、複数の内線電話機が接続され、前記内線電話機に係る通信を接続する構内交換装置であって、前記国内公衆網と接続する国内移動通信網を介して通信する移動端末装置と、前記内線電話機とを関連付けて記憶する内線テーブルと、前記移動端末装置が前記海外移動通信網から発信した場合に通知される通知番号と、前記移動端末装置が前記国内移動通信網から発信した場合に通知される通知番号と、を関連付けて記憶する番号変換テーブルと、前記構内交換装置の機能であるＦＭＣ処理に係る番号であるＦＭＣアクセス番号への着信があった場合に、前記内線テーブルおよび前記番号変換テーブルを参照して、前記ＦＭＣ処理を許可するか否かを判断するＦＭＣ機能許可処理手段と
を有することを特徴とする。
【発明の効果】
【０００９】
本発明による構内交換装置によれば、ローミングにより通知される移動端末装置の発信者番号が異なっても構内交換装置の機能を利用することができる。
【図面の簡単な説明】
【００１０】
【図１】本発明の一実施の形態に係る構内交換システムの構成を示すブロック図。
【図２】本発明の一実施の形態に係る構内交換装置の構成を示すブロック図。
【図３】本発明の一実施の形態に係る構内交換装置が有する記憶部の記憶内容を示すブロック図。
【図４】本発明の一実施の形態に係る内線テーブルの一例を示す図。
【図５】本発明の一実施の形態に係る番号変換テーブルの一例を示す図。
【図６】本発明の一実施の形態に係る構内交換装置が有する制御部の機能を示す機能ブロック図。
【図７】本発明の一実施の形態に係る構内交換装置が行うＦＭＣ機能許可処理の処理動作を示すフローチャート。
【発明を実施するための形態】
【００１１】
以下、本発明の実施例を、図面を参照して説明する。
【実施例】
【００１２】
図１は、本発明の一実施の形態を示す構内交換システムの構成を示したブロック図である。  
構内交換システムＳは、企業などの構内に設けられる構内交換装置１０、内線電話機２１〜２ｎ（以下、内線電話機を総称して内線電話機２０と称する。）を有する。内線電話機２１〜２ｎは、構内交換装置１０と接続し、構内交換装置１０は国内公衆網ＮＷ１と接続している。国内公衆網ＮＷ１に接続する電話機４１と、内線電話機２０の何れかとは、構内交換装置１０および国内公衆網ＮＷ１を介して通話するようになっている。また、この国内公衆網ＮＷ１は、構内交換装置１０の他に、国内移動通信網ＮＷ２と接続し、内線電話機２０の何れかと国内移動通信網ＮＷ２と接続する移動端末装置３１とは、構内交換装置１０、国内公衆網ＮＷ１、および国内移動通信網ＮＷ２を介して通話する。
【００１３】
そして、国内移動通信網ＮＷ２は、海外移動通信網ＮＷ３とも接続されている。これは、国際ローミングサービスを提供するための構成である。例えば、海外移動通信網ＮＷ３に接続する移動端末装置３２が内線電話機２０の何れかと通話する場合、海外移動通信網ＮＷ３と国内移動通信網ＮＷ２とが国際ローミングすることにより、海外移動通信網ＮＷ３、国内移動通信網ＮＷ２、国内公衆網ＮＷ１および構内交換装置１０を介して通話することになる。
【００１４】
なお、構内交換装置１０に接続される内線電話機２０は、図１では２つのみ示されているが、構内交換装置１０には多数の内線電話機２０が接続されるようになっている。そして、国内公衆網ＮＷ１に接続する電話機４１、国内移動通信網ＮＷ２に接続する移動端末装置３１、および海外移動通信網ＮＷ３に接続する移動端末装置３２は、それぞれ１つずつ図示したが、それぞれ多数接続されるものである。
【００１５】
構内交換システムS外に位置する移動端末装置３０が構内交換装置１０の機能（以下、ＦＭＣ機能と称する。）を利用するには、ＦＭＣ機能を利用するための番号（以下、ＦＭＣアクセス番号と称する。）へ発信する必要がある。ＦＭＣ機能としては、例えば、構内交換システムS外から発信しても構内交換システムS内から発信したように発信者番号を通知する発信機能、通話中の呼を他の移動端末装置３０や内線電話機２０へ転送する転送機能、および、３者で通話する会議機能等がある。移動端末装置３０がこのＦＭＣアクセス番号に発信すると、構内交換装置１０は、発信元の移動端末装置３０に対して、ＦＭＣ機能を提供してよいか否かを、発信元の移動端末装置３０が内線電話機２０の何れかと関連付けされているかにより判断し、ＦＭＣ機能を提供してよいと判断すると、発信、転送、会議等の上記のようなＦＭＣ機能を提供するようになっている。
【００１６】
すなわち、構内交換装置１０は、移動端末装置３０の発信者番号を用いて機能提供の可否を判断している。この発信者番号は、移動端末装置３０が海外から発信した場合には、国内と異なる電話番号が構内交換装置１０に通知されるが、国内と異なる電話番号が構内交換装置１０に通知された場合でも、ＦＭＣ機能を提供することができる構成を、以下に示す。
【００１７】
図２乃至図６を参照して、構内交換装置１０の構成を説明する。  
図２は、構内交換装置の構成を示すブロック図である。構内交換装置１０は、国内公衆網ＮＷ１と接続する公衆網インタフェース１１、内線電話機２０と接続する内線インタフェース１２、各種設定情報を記憶する記憶部１３、および、各部を統括して制御する制御部１４を備える。
【００１８】
記憶部１３は、図３に示すように、構内通信システムＳ内の内線電話機２０と関連付けした移動端末装置３０（移動端末装置を総称して移動端末装置３０と称する。）との関連を記憶する内線テーブル１３ａ、および、移動端末装置３０が海外から着信した場合に通知される通知番号を、国内での電話番号へ変換するときに参照される番号変換テーブル１３ｂを記憶するようになっている。
【００１９】
図４は、記憶部１３に記憶される内線テーブル１３ａの一例を示したものである。図４の例では、内線電話機２０に割当られる電話番号（内線番号）と、移動端末装置３０の電話番号とが１対１の関係で関連付けられている。内線電話機２０に複数の移動端末装置３０の電話番号を関連付けることも考えられるが、通話したい相手が構内交換システムＳの内外どちらにいても、その相手と通話できるようにするためには、内線電話機２０と移動端末装置３０とは、１対１の関係で関連付けられることが要求される。
【００２０】
図４では、内線番号が「１０００」の内線電話機２０は、電話番号が「０９０−ａｂｃｄ−ｅｆｇｈ」の移動端末装置３０と関連付けられており、内線番号が「１００１」の内線電話機２０は、電話番号が「０９０−ａｂｃｄ−ｅｆｇ１」の移動端末装置３０と関連付けられている。以降、同様に、内線番号と移動端末装置３０の電話番号とが１対１の関係で関連付けられるものである。このような関連付けは、内線テーブル１３ａに予め記憶させておき、構内交換装置１０への構内交換システムＳ内からの発信および構内交換システムＳ外からの発信の両方の場合に、制御部１４の処理によって、この内線テーブル１３ａは参照されるものである。
【００２１】
図５は、記憶部１３に記憶される、番号変換テーブル１３ｂの一例を示したものである。図５の例では、海外から発信する場合の通知番号と、国内で使用する場合の移動端末装置３０の電話番号とが関連付けられている。例えば、「８１０９０ａｂｃｄｅｆｇｈ」の通知番号には、「０９０−ａｂｃｄ−ｅｆｇｈ」が関連付けられており、「８１９０ａｂｃｄｅｆｇｈ」の通知番号には、「０９０−ａｂｃｄ−ｅｆｇｈ」が関連付けられている。つまり、「８１０９０ａｂｃｄｅｆｇｈ」および「８１９０ａｂｃｄｅｆｇｈ」の通知番号は、何れも「０９０−ａｂｃｄ−ｅｆｇｈ」に関連付けられている。これは、同じ移動端末装置３０からの通知番号でも、移動端末装置のサービスを提供する通信事業者やローミング状況によって異なる番号が通知される場合があるため、それに対応するように、１つの移動端末装置３０の電話番号に複数の通知番号を関連付けるようにしている。
【００２２】
また、その他の通知番号についても、それぞれ国内の移動端末装置３０の電話番号を関連付けられている。このような関連付けは、番号変換テーブル１３ｂに予め記憶させておき、制御部１４の処理によって、この番号変換テーブル１３ｂは参照されるものである。
【００２３】
そして、本実施例では、内線電話機２０と移動端末装置３０とを関連付ける内線テーブル１３ａと、海外から発信した場合の通知番号を国内から発信した場合の通知番号へ変換する番号変換テーブル１３ｂとを別々に用意するようにしている。これは、構内交換システムＳの内外のどちらにいても通話したい相手と通話することができるように移動端末装置３０と内線電話機２０とを１対１で関連付けるという要求を満たした上で、海外からＦＭＣアクセス番号へ着信した場合の通知番号を変換するためである。
【００２４】
移動端末装置３０と内線電話機２０とを関連付ける内線テーブル１３ａは、上記の理由により、１対１の関係でしか関連付けができないようにされている場合が多く、１つのテーブルに纏めようとすると、不便である。例えば、海外出張の前には、内線番号と関連付けられた移動端末装置３０の電話番号を、海外から発信した場合の通知番号へ変更し、帰国後は国内から発信した場合の通知番号へ変更する必要がある。このように、内線テーブル１３ａの移動端末装置の電話番号を頻繁に変更する必要があるとともに、海外へ出発する前に、海外から発信した場合の通知番号と内線番号とを関連付けるように内線テーブル１３を変更すると、海外へ出発する前には、ＦＭＣ機能を利用することができない。また、海外から発信した場合の通知番号は、移動端末装置のサービスを提供する通信事業者やローミング状況により異なるため、内線テーブル１３に記憶した通知番号である場合にしかＦＭＣ機能を利用することができない。
【００２５】
そのため、内線テーブル１３ａと番号変換テーブル１３ｂとを別々に用意し、移動端末装置３０の国内外の何れから発信された場合でも、ＦＭＣ機能を利用可能にするようにしている。
【００２６】
次に、図６を参照して、制御部１４の機能について説明する。制御部１４は、構内交換装置１０を経由する呼を制御して通話路を形成する呼制御手段１４ａ、および、記憶部１３に記憶される番号変換テーブルを参照して、海外から着信した場合に通知される通知番号を国内での電話番号へ変換する処理を行うＦＭＣ機能許可処理手段１４ｂを備える。
【００２７】
ここで、図７を参照して、構内交換装置１０が行うＦＭＣ機能を提供してよいか否かを判断する処理動作について説明する。  
ここでは、海外移動通信網NW３に接続される移動端末装置３２の電話番号が「０９０−ａｂｃｄ−ｅｆｇｈ」であり、この移動端末装置３２と関連付けられている内線電話機２１の内線番号が「１０００」である場合に、移動端末装置３２が構内交換装置１０の発信機能を利用して、国内公衆網NW１と接続される電話機４１へ発信し、構内交換装置１０へ通知される電話番号（通知番号）が、「８１０９０ａｂｃｄｅｆｇ」である場合を例に挙げて説明する。
【００２８】
まず、海外移動通信網NW３に接続される移動端末装置３２がＦＭＣアクセス番号へ発信する。ＦＭＣアクセス番号へ発信すると構内交換装置１０へ着信し、構内交換装置１０はこの着信を契機として、ＦＭＣ機能を提供する処理（以下、ＦＭＣ処理と称する。）動作を開始する。そして、発信元である、海外から発信している移動端末装置３２から通知される通知番号「８１０９０ａｂｃｄｅｆｇ」が、ＦＭＣ機能を提供して良いか否かを判断するために、番号変換テーブル１３ｂを参照し、移動端末装置３２から通知される通知番号が番号変換テーブル１３ｂに記憶されているか否かを判断する（Ｓ１１）。その通知番号が、番号変換テーブル１３ｂに記憶されていると判断した場合には（処理Ｓ１１にてＹＥＳ）、番号変換テーブル１３ｂに基づいて、その通知番号「８１０９０ａｂｃｄｅｆｇ」を国内からの発信時に通知される電話番号「０９０ａｂｃｄｅｆｇ」に変換する処理を行う（Ｓ１２）。
【００２９】
通知番号を、国内からの発信時に通知される電話番号「０９０ａｂｃｄｅｆｇ」に変換した後は、内線テーブル１３ａを参照して、電話番号「０９０ａｂｃｄｅｆｇ」を内線電話機２１の内線番号「１０００」と関連付けする（Ｓ１３）。電話番号「０９０ａｂｃｄｅｆｇ」が内線電話機２１の内線番号「１０００」と関連付けられると、ＦＭＣ機能を提供するＦＭＣ処理を実行する（Ｓ１４）。この例では、ＦＭＣ処理は、移動端末装置３２から電話機４１への発信を内線番号「１０００」の内線電話機２１から発信したように番号通知する処理である。この処理により、電話機４１へは、内線電話機２１の内線番号「１０００」を外線用に変換した、例えば、「０３−ｘｘｘｘ−１０００」のような番号が通知される。
【００３０】
また、処理Ｓ１１にて通知番号が番号変換テーブル１３ｂに記憶されていないと判断された場合（処理Ｓ１１にてＮＯ）は、国内から発信されている場合か、そもそもこのＦＭＣ機能を提供していない発信元からの発信である場合の何れかである。そのため、ＦＭＣ機能を提供すべき発信元であるか否かを判断するために、内線テーブル１３ａを参照して、発信元から通知される通知番号が内線テーブル１３ａに記憶されているか否かを判断する（Ｓ１５）。
【００３１】
その通知番号が内線テーブル１３ａに記憶されていると判断した場合には（処理Ｓ１５にてＹＥＳ）、処理Ｓ１３の処理である内線電話番号との関連付けを行う。つまり、この場合は、ＦＭＣ機能を提供すべき移動端末装置３０が国内から発信している場合である。また、処理Ｓ１５にて内線テーブル１３ａに記憶されていないと判断した場合には、その発信元はそもそもＦＭＣ機能を提供すべきでないため、ＦＭＣ処理を行わず、処理を終了する。
【００３２】
以上述べたように、構内交換システムの外から発信した場合でも、構内交換システム内から発信したように発信者番号を通知する発信機能を例に挙げると、海外出張中に社外の客先へ連絡する場合など、海外出張中であることを知られずに連絡することができ大変利便性が高くなる。また、本実施例では、発信機能について説明したが、発信機能以外の、転送機能や会議機能等のＦＭＣ機能についても、海外移動通信網ＮＷ３に接続される移動端末装置３２から利用可能になる。その場合、構内交換装置１０が行うＦＭＣ機能を提供する処理動作は、図７に示す処理動作と同様である。
【００３３】
なお、本発明は、以上の構成に限定されるものではなく、種々の変形が可能である。例えば、上記実施例では、構内交換装置１０と接続する内線電話機２０は、固定電話機を図示したが、コードレス型の電話機であってもよく、また、ＩＰ電話機であってもよい。
【符号の説明】
【００３４】
１０…構内交換装置、１１…公衆網インタフェース、１２…内線インタフェース、１３…記憶部、１３ａ…内線テーブル、１３ｂ…番号変換テーブル、１４…制御部、１４ａ…呼制御手段、１４ｂ…ＦＭＣ機能許可処理手段、２０，２１〜２ｎ…内線電話機、３０，３１〜３ｎ…移動端末装置、４１…電話機、Ｓ…構内交換システム、ＮＷ１…国内公衆網、ＮＷ２…国内移動通信網、ＮＷ３…海外移動通信網。 
【図１】
2011055150.tif 000003
【図２】
2011055150.tif 000004
【図３】
2011055150.tif 000005
【図４】
2011055150.tif 000006
【図５】
2011055150.tif 000007
【図６】
2011055150.tif 000008
【図７】
2011055150.tif 000009